(57)【要約】【課題】身体の各部位の最外周囲長と筋肉周囲長及び脂肪厚を人体模型を用いて表すことにより、被検者をして部位別脂肪厚を容易に把握させられる体成分分析結果シートを提供する。【解決手段】被検者の身体末端に接触する電流電極と電圧電極、電流印加回路と電圧測定回路よりなるインピーダンス測定回路、演算及び制御機能を行う中央制御部を備える生体電気インピーダンス測定器を用いて身体の部位別体成分の測定結果を示す体成分分析結果シートにおいて、右腕と左腕、右脚と左脚及び胴体を含めて図形化させた人体模型と、該当位置における体成分値が表示可能に前記人体模型の身体部位上の位置に表される体成分表示線と、前記体成分表示線に相当する体成分値と、を表すことを特徴とする。【選択図】図１
0003120546.tif 000002
【実用新案登録請求の範囲】
【請求項１】
被検者の身体末端に接触する電流電極と電圧電極、電流印加回路と電圧測定回路からなるインピーダンス測定回路、演算及び制御機能を行う中央制御部を備える生体電気インピーダンス測定器を用いて身体の部位別体成分の測定結果を示す体成分分析結果シートにおいて、
右腕と左腕、右脚と左脚及び 胴体を含めて図形化させた人体模型（１００）と、
該当位置における体成分値が表示可能に前記人体模型の身体部位上の位置に表される体成分表示線（２００）と、
前記体成分表示線に相当する体成分値（３００）と、を表すことを特徴とする体成分分析結果シート。
【請求項２】
前記人体模型における身体部位の周囲長は、体成分値の大きさに比例して表されることを特徴とする請求項１に記載の体成分分析結果シート。
【請求項３】
前記体成分表示線は最外周囲長と筋肉周囲長を可視化して表示され、前記体成分値（３００）は最外周囲長と筋肉周囲長及び脂肪厚により表されることを特徴とする請求項１に記載の体成分分析結果シート。
【請求項４】
前記人体模型の周りには、筋肉及び脂肪の分布断面図がさらに配置されていることを特徴とする請求項１に記載の体成分分析結果シート。
【請求項５】
前記最外周囲長と筋肉周囲長及び脂肪厚の測定値には標準値がさらに含まれて測定値と標準値が比較されることを特徴とする請求項３に記載の体成分分析結果シート。
【請求項６】
被検者の身体末端に接触する電流電極と電圧電極、電流印加回路と電圧測定回路よりなるインピーダンス測定回路、演算及び制御機能を行う中央制御部を備える生体電気インピーダンス測定器を用いて身体の部位別体成分の測定結果を示す体成分分析結果シートにおいて、
前記身体部位の最外周囲長の値と筋肉周囲長の値をグラフ上に併記することにより、前記最外周囲長の値と筋肉周囲長の値との間の差分値の変化を可視化させることを特徴とする体成分分析結果シート。
【請求項７】
前記各身体部位の推移を表すグラフ上には、最外周囲長の標準値及び筋肉周囲長の標準値のうちどちらか一方以上を表すことを特徴とする請求項６に記載の体成分分析結果シート。
【請求項８】
前記身体の体幹は首部、胸部、腹部、尻部に分けられ、各身体部位を結果シートの一ヶ所にまとめて配置することにより、各身体部位の脂肪厚の推移を一括に表すことを特徴とする請求項６に記載の体成分分析結果シート。
【考案の詳細な説明】
【技術分野】
【０００１】
本考案は、体成分分析結果シートに係り、詳しくは、生体電気インピーダンス測定器を用いて体成分分析結果を出力するにあたり、測定器の出力部から出力される体成分分析結果のうち各身体部位の脂肪厚をはじめとする体成分の状態を人体模型を用いて可視化させ、体成分状態の推移をより一目瞭然に表す体成分分析結果シートに関する。
【背景技術】
【０００２】
人体は水分、タンパク質、骨及び脂肪などからなり、これらを合計することで体重が得られる。人体成分分析とは、かかる個別成分を定量的に測定することを言う。近年、肥満に対する関心が高まるにつれて体脂肪量測定に対する必要性が増大され、その結果、体脂肪測定機の開発が盛んに行われてきている。体内脂肪量は、肥満を判断する主要指標であって、各種成人病の発生原因であり、美容とも深い関連がある。特に、水分は身体の重要な構成要素であって、水分の量はエネルギーを発生させる筋肉量と密接な関連がある。この体内の筋肉量は、個人の栄養状態を表わす指標であって、その医学的な応用範囲が広い。なによりも、癌患者や投石患者のように栄養状態と関連のある患者は自分の人体中の筋肉量を周期的に測定することにより、疾病の進行速度や治療效果を診断することができ、且つ小児の成長や発育状態、あるいは老弱者の栄養状態をも診断することができる。これらの理由から、体成分の構成要素を把握することは人体の最も基礎的な検診であって、その必要性が高まる一方である。
【０００３】
体成分を分析する方法としては、安価で且つ人体に無害な生体電気インピーダンスを用いる方法が汎用されている。この生体電気インピーダンスを用いる方法は、人体内に弱い交流電流を流して人体の電気抵抗あるいは電気インピーダンスを測定すると共に、被測定者の身長及び体重を測定または入力し、被測定者の年齢及び性別をキーボードを介して入力した後、これらの測定値と入力された情報をもとに体液の量、筋肉量及び体脂肪量を算出する方法である。
【０００４】
本考案の考案者は、既に体成分分析装置を発明して提案している（例えば、下記の特許文献１〜３参照）。これらに開示されている体成分分析装置においては、右腕、左腕、胴体、右脚及び左脚の水分の定量化と、細胞内液、細胞外液、タンパク質、無機質、除脂肪の体成分の定量化とを通じた測定技術が、部位別インピーダンスの測定、身長及び体重の関数から開発されている。
【０００５】
前記体成分分析装置の出力部から出力される従来の体成分分析結果シートは、図４に示すように、体成分分析欄１０と、肥満診断欄２０と、体水分検査欄３０と、総合評価欄４０とに分けられている。
【０００６】
これらのうち、体成分分析欄１０では、縦の列を細胞内液、細胞外液、タンパク質、無機質、体脂肪に区切り、それぞれの成分を定量化して表わす。また、肥満診断欄２０では、横の例を標準以下、標準、標準以上に区切り、縦の列を身長、体重、筋肉量、体脂肪量、体脂肪率、腹部脂肪率に区切り、これら各項目に対する標準範囲、標準以下、あるいは標準以上の該当有無を容易に判断できるようにしている。さらに、体水分検査欄３０では、縦の列を右腕、左腕、胴体、右脚、左脚などの部位別に区切り、横の列の部位別水分分布(％)を、前記肥満診断欄２０の場合と同様に標準、標準以下、標準以上に区切る。
【０００７】
一方、総合評価欄４０は、体成分分析、肥満診断、体水分検査の欄をまとめて表すものであって、筋肉タイプ、栄養状態、上半身下半身バランス、左半身右半身バランスを標準
、標準以下（あるいは、低体重）、標準以上の３段階に分けて評価し、被検者として自分の体成分の分析結果を総合的に把握するようにしている。
【０００８】
測定結果を図表化する方法は、各部位別評価、あるいは測定項目の区分に必要となる方法である。しかし、このような従来の体成分分析装置の出力部は、主として体脂肪率に対する結果を出力するに留まっており、脂肪厚に対する数値や図示を出力していない。このため、専門家はもとより、非専門家が主流をなしている被検者は、自分の各身体部位における脂肪量について正確に理解していないのが現状である。
【０００９】
さらに、前記従来の体成分分析装置の出力部は、身体周囲長をはじめとして、筋肉周囲長や脂肪厚の測定結果、または脂肪厚の推移を別途に表していないため、体脂肪の改善のための処方や健康ガイドからの運動指針を受けるとき、どの身体部位が改善されているか、あるいは、被検者自身の体脂肪がどれほどであるかを直観的に理解するには多くの難点があった。
【特許文献１】大韓民国特許第１２３，４０８号公報
【特許文献２】大韓民国特許第１６１，６０２号公報
【特許文献３】大韓民国特許第３２３，８３８号公報
【考案の開示】
【考案が解決しようとする課題】
【００１０】
そこで、本考案の目的は、身体の各部位の最外周囲長と筋肉周囲長及び脂肪厚を人体模型を用いて表すことにより、被検者として部位別脂肪厚を容易に把握させることのできる体成分分析結果シートを提供することにある。
【００１１】
本考案の他の目的は、被検者の各身体部位の脂肪厚値を標準値と比較して表すことにより、被検者として自分の体成分値を一層容易に把握させることのできる体成分分析結果シートを提供することにある。
【００１２】
本考案のさらに他の目的は、身体の各部位の最外周囲長と筋肉周囲長に対する変化推移を一括に表すことにより、被検者として脂肪厚の変化推移を容易に把握させることのできる体成分分析結果シートを提供することにある。
【００１３】
本考案のさらに他の目的は、各身体部位の脂肪厚の変化推移を一ヶ所にまとめて配置することにより、被検者として各身体部位別体成分の変化推移を容易に把握させられる体成分分析結果シートを提供することにある。
【課題を解決するための手段】
【００１４】
上記の諸目的を達成するための、本考案に係る体成分分析結果シートは、被検者の身体末端に接触する電流電極と電圧電極、電流印加回路と電圧測定回路からなるインピーダンス測定回路、演算及び制御機能を行う中央制御部を備える生体電気インピーダンス測定器を用いて身体の部位別体成分の測定結果を示す体成分分析結果シートにおいて、右腕と左腕、右脚と左脚及び 胴体を含めて図形化させた人体模型１００と、該当位置における体
成分値が表示可能に前記人体模型の身体部位上の位置に表される体成分表示線２００と、前記体成分表示線に相当する体成分値３００と、を表すことを特徴とする。
【００１５】
さらに、本考案は、前記人体模型における身体部位の周囲長は、体成分値の大きさに比例して表されることが好ましい。
さらに、本考案は、前記体成分表示線は最外周囲長と筋肉周囲長を可視化して表示され、前記体成分値３００は最外周囲長と筋肉周囲長及び脂肪厚により表されることが好ましい。
【００１６】
さらに、本考案は、前記人体模型の周りに、筋肉及び脂肪の分布断面図がさらに配置されていることが好ましい。
さらに、本考案は、前記最外周囲長と筋肉周囲長及び脂肪厚の測定値には標準値がさらに含まれて測定値と標準値が比較されることが好ましい。
【００１７】
本考案の他の体成分分析結果シートは、被検者の身体末端に接触する電流電極と電圧電極、電流印加回路と電圧測定回路よりなるインピーダンス測定回路、演算及び制御機能を行う中央制御部を備える生体電気インピーダンス測定器を用いて身体の部位別体成分の測定結果を示す体成分分析結果シートにおいて、前記身体部位として右腕と左腕、右脚と左脚及び 胴体を含めて測定するが、前記身体部位の最外周囲長の値と筋肉周囲長の値をグ
ラフ上に共に表すことにより、前記最外周囲長の値と筋肉周囲長の値との間の差分の変化を可視化させることを特徴とする。
【００１８】
さらに、本考案は、前記各身体部位の推移を表すグラフ上には、最外周囲長の標準値及び筋肉周囲長の標準値のうちどちらか一方以上を表すことが好ましい。
さらに、本考案は、前記身体の体幹は首部、胸部、腹部、尻部に分けられ、各身体部位を結果シートの一ヶ所にまとめて配置することにより、各身体部位の脂肪厚の推移を一括に表すことが好ましい。
【考案の効果】
【００１９】
本考案に係る体成分分析結果シートは、身体の各部位の最外周囲長と筋肉周囲長及び脂肪厚を人体模型を用いて表すことにより、被検者として部位別脂肪厚を容易に把握させられる効果を有する。
【００２０】
また、本考案に係る体成分分析結果シートは、被検者の各身体部位の脂肪厚値を標準値と比較して表すことにより、被検者として自分の体成分値を一層容易に把握させられる効果を有する。
【００２１】
さらに、本考案に係る体成分分析結果シートは、各身体部位の脂肪厚の変化推移を一ヶ所にまとめて配置することにより、被検者として各身体部位別体成分の変化推移を容易に把握させられる効果を有する。その結果、被検者は、体成分の改善のために処方を受けたり、規則的な運動をしたりするとき、どの部位における体成分が改善されているかが容易に確かめられる。
【考案を実施するための最良の形態】
【００２２】
以下、添付図面に基づき、本考案の好適な実施例を詳述する。
本考案に係る体成分分析結果シートは、インピーダンス測定方法を用いて体成分を分析する装置に基づいて開発されたものである。現在汎用されている方式が、前述したように、部位別体成分を測定する部位別インピーダンスを用いた体成分分析装置である。
【００２３】
この部位別インピーダンスを測定する技術では、両手と両足にそれぞれ２つずつの電極を設け、合計で８個の電極を通じて人体末端間のインピーダンスを測定して体成分を算出する。このとき、各部位別インピーダンスは直接的に測定される。すなわち、既知の大きさの電流を流し、所望の部位における電圧を測定することにより、オームの法則に基づいてインピーダンスを求める。
【００２４】
体脂肪量と体重から体脂肪を引いた除脂肪量との合計は体重となる。このため、体重を測定し、且つ、生体電気インピーダンスを用いて除脂肪量を測定した後、これらの両値の差分を求めると、これより体脂肪量を算出することができる。一方、部位別測定は、被検
者の部位別筋肉発達の度合いが判断可能な情報を与えるため、部位別運動効果や左半身右半身のバランス、上半身及び下半身の発達程度、リハビリ治療の効果などを確かめる上で極めて有用である。部位別除脂肪量は、身長と部位別インピーダンス及び部位別身体の長さから計算される。しかしながら、実際に、各部位の身体の長さは測定し難いため、これを身長の測定値に置換しても正確度の側面からみたときに大差ない。すなわち、人間は、ほとんどの場合、身長に対して所定比率の腕長、脚長、胴体長を有しており、一般に、市販中の体成分分析器はこのような想定から製造されている。図１は、各身体部位に対する筋肉と脂肪の人体模型である。これを参照すれば、内部には筋肉が位置し、脂肪は筋肉を包むようになっている。ここで、筋肉周囲長とは円形を呈する筋肉の周りの長さを意味し、最外周囲長とは身体部位の周りの長さを意味する。また、 胴体における体脂肪量も首
部、胸部、腹部、及び尻部に分けて表すことが可能である。すなわち、まず、 胴体にお
ける体脂肪量を求め、 胴体の各部位における体脂肪量は被検者の年齢と性別を考慮し、
回帰式に基づいて得ることができる。
【００２５】
部位別体脂肪量及び除脂肪量から筋肉周囲長の値と最外周囲長の値を求め、脂肪厚を算出する。一方、インピーダンス測定を用いた体脂肪分析装置の出力部は図１に示すような結果シートを出力するが、その詳細は下記の通りである。
【００２６】
人体模型を視覚的に目立たせるために、立体的に表す。さらに、前記人体模型の身体部位は、右腕、左腕、右脚、左脚よりなる腕脚部と胴体に分けられる。前記人体模型は左側と右側に分け、左側及び右側のうちどちらか一方は脂肪厚を含む最外周囲長を立体的に目立たせて視覚化させ、もう一方は脂肪を除く筋肉周囲長を目立たせて視覚化させることが好ましい。
【００２７】
さらに、人体模型の各身体部位の所定の位置には、測定された体成分値を表すための体成分表示線２００が示してある。本考案の一実施例によれば、前記体成分表示線は、最外周囲長（Ａ，Ｂ，Ｃ，Ｄ，Ｅ，Ｆ，Ｇ，Ｈ）は実線にて立体的に示され、筋肉周囲長（ 
Ｂ’，Ｃ’，Ｅ’，Ｆ’，Ｇ’，Ｈ’）は破線にて示されている。最外周囲長の値と筋肉周囲長の値との間の差分は脂肪厚となる。すなわち、身体部位の模型を脂肪が筋肉を包んでいるとして想定する。
【００２８】
本考案の体成分表示線には制限がなく、各種のタイプの体成分表示線が想定可能である。例えば、単に脂肪厚及び最外周囲長のみを示すことも可能であり、実線及び破線の代わりに脂肪部位を陰影表示することも可能である。
【００２９】
さらに、本考案によれば、身体部位の断面図４００を添えることが好ましい。前記断面図は、通常の断層撮影の標準タイプを示すものであって、脂肪が筋肉の外郭に分布されている。このような断面図を添えることにより、被検者として各身体部位の周囲長を容易に把握させる。
【００３０】
さらに、人体模型の右側には、各身体部位における体成分値表が示されている。さらに、各測定値の下部には標準値及び差分値が併記されている。ここで、標準値とは、被検者の年齢と性別による各身体部位における正常範囲の最外周囲長の値と筋肉周囲長の値であり、差分値とは、被検者の測定値と標準値との間の差分である。腹部の場合、被検者の最外周囲長の値は８５．６９ｃｍであり、筋肉周囲長の値は７８．４０ｃｍであり、そして脂肪厚は１．０５ｃｍである。前記被検者の年齢、性別及び体格からみたとき、正常人の標準値は最外周囲長の値が８３．３３ｃｍであり、筋肉周囲長の値が８２．５７ｃｍであることから、現在、被検者は、標準値よりも最外周囲長が２．３６ｃｍほど太く、筋肉周囲長が４．１７ｃｍほど不足している。この結果から、被検者は、どれほどの筋肉を増やしてどれほどの脂肪を減らす必要があるかを容易に把握することができる。
【００３１】
さらに、図２は、人体模型上に各身体部位別体成分値を直接的に示すものである。すなわち、図１のように測定値を別途の表として示してもよく、図２のように人体模型上に直接的に表しても良い。
【００３２】
さらに、本考案の他の実施例として、測定される周囲長に応じて各身体部位の太さが変わる人体模型を示すことにより、被検者として自分の身体部位の状態を視覚的に容易に把握させることも可能である。
【００３３】
図３は、本考案のさらに他の実施例に係る体成分分析結果シートである。以下、腹部における身体周囲長の変化１３０を例として説明を進める。
これを参照すれば、２００５年１月２５日、２００５年２月１６日及び２００５年３月１５日の３回に亘って体成分が測定されている。各測定日における腹部１３０の最外周囲長は、それぞれ８３．６９ｃｍ、８２．６９ｃｍ及び８２ｃｍへと変わっている。このグラフ中、実線は最外周囲長を示し、破線は筋肉周囲長を示す。一方、筋肉周囲長の値は７５．４０ｃｍ、７５．４５ｃｍ及び７５．６０ｃｍと僅かな変化を示している。すなわち、全体としての最外周囲長の値が段々に小さくなっているが、これは、筋肉量が減ったためではなく、脂肪量が減るにつれて最外周囲長の値が変わったからであるということが分かる。ここで、脂肪量の変化を容易に確認させるために、最外周囲長の値と筋肉周囲長の値との間の差分に相当する部分Ｆｓは別途に陰影処理されている。
【００３４】
さらに、前記身体周囲長を示すグラフ上には、被検者の性別、年齢及び身長分布を考慮するときの正常人の身体周囲長に相当する最外周囲長の標準値Ｓｏと筋肉周囲長の標準値Ｓｉを併記することが可能である。グラフから、この被検者は、腹部における筋肉周囲長の値が標準値よりも小さく、最外周囲長の値は標準値よりも大きいということが分かる。すなわち、腹部の脂肪量が標準量に比べて多いということが分かる。一方、右腕及び左腕における身体周囲長の値のグラフ１５０，１６０を参照すれば、脂肪厚の変化はほとんどなく、最外周囲長の値と筋肉周囲長の値が両方ともに小さくなっているということが分かる。さらに、右脚と左脚における身体周囲長の値のグラフ１７０，１８０を参照すれば、最外周囲長の値はほとんど変化がなく、筋肉周囲長の値が大きくなって全体としての脂肪厚が薄くなっているということが分かった。
【００３５】
さらに、本考案によれば、図３に示すように、各身体部位における周囲長の変化を一ヶ所にまとめて表すことにより、各身体部位における体成分の変化を一目で確認させることが好ましい。例えば、身体部位のうち右腕１５０、左腕１６０、右脚１７０と左脚１８０よりなる腕脚部における体成分の変化と、首部１１０、胸部１２０、腹部１３０及び尻部１４０よりなる胴体部分における体成分の変化を一括に観測可能にすることが好ましい。
【図面の簡単な説明】
【００３６】
【図１】本考案の一実施例に係る体成分分析結果シートである。
【図２】本考案の他の実施例に係る体成分分析結果シートである。
【図３】本考案のさらに他の実施例に係る体成分分析結果シートである。
【図４】従来公知の体成分分析結果シートである。
【符号の説明】
【００３７】
１００    人体模型
１１０    首部の周囲長の変化
１２０    胸部の周囲長の変化
１３０    腹部の周囲長の変化
１４０    尻部の周囲長の変化
１５０    右腕の周囲長の変化
１６０    左腕の周囲長の変化
１７０    右脚の周囲長の変化
１８０    左脚の周囲長の変化
２００    体成分表示線
３００    体成分値
４００    断面図
Ａ，Ｂ，Ｃ，Ｄ，Ｅ，Ｆ，Ｇ，Ｈ    身体部位の最外周囲長
Ｂ’，Ｃ’，Ｅ’，Ｆ’，Ｇ’，Ｈ’    身体部位の筋肉周囲長
【図１】
0003120546.tif 000003
【図２】
0003120546.tif 000004
【図３】
0003120546.tif 000005
【図４】
0003120546.tif 000006
【手続補正書】
【提出日】平成18年2月2日(2006.2.2)
【手続補正１】
【補正対象書類名】実用新案登録請求の範囲
【補正対象項目名】全文
【補正方法】変更
【補正の内容】
【実用新案登録請求の範囲】
【請求項１】
被検者の身体末端に接触する電流電極および電圧電極と、電流印加回路および電圧測定回路からなるインピーダンス測定回路と、演算及び制御機能を行う中央制御部と、を備える生体電気インピーダンス測定器を用いて身体の部位別体成分の測定結果を示す体成分分析結果シートであって、
右腕と左腕、右脚と左脚及び胴体を含めて図形化させた線で表示される人体模型（１００）と、
前記人体模型（１００）として図形化された線の中に、前記右腕と左腕、右脚と左脚及び胴体などでの体成分値を断面で示すように、環状の線で表示される体成分表示線（２００）と、
前記体成分表示線（２００）に相当する値を示す体成分値（３００）と、を１つのシート上に表示することを特徴とする体成分分析結果シート。
【請求項２】
前記人体模型（１００）における各身体部位の周囲長は、測定された体成分値（３００）の大きさに比例して、前記人体模型（１００）内の右腕と左腕、右脚と左脚及び胴体などの部位に表示されることを特徴とする請求項１記載の体成分分析結果シート。
【請求項３】
前記体成分表示線（２００）は、最外周囲長と筋肉周囲長とが外側の線および内側の線として環状の線で前記人体模型（１００）の中に視覚化して表示され、
前記体成分値（３００）は、最外周囲長と筋肉周囲長及び脂肪厚の値により、シート上に表示されることを特徴とする請求項１記載の体成分分析結果シート。
【請求項４】
前記人体模型（１００）の周りには、筋肉及び脂肪の分布断面図（４００）がさらに配置されていることを特徴とする請求項１記載の体成分分析結果シート。
【請求項５】
前記最外周囲長と筋肉周囲長及び脂肪厚の測定値には、それらの標準値がさらに含まれて前記シート上に表示され、これにより、測定値と標準値が比較されることを特徴とする請求項３記載の体成分分析結果シート。
【請求項６】
被検者の身体末端に接触する電流電極および電圧電極と、電流印加回路および電圧測定回路からなるインピーダンス測定回路と、演算及び制御機能を行う中央制御部とを備える
生体電気インピーダンス測定器を用いて身体の部位別体成分の測定結果を示す体成分分析結果シートであって、
右腕と左腕、右脚と左脚及び胴体を含めて図形化させた線で表示される人体模型（１００）と、
前記身体部位の最外周囲長の値と筋肉周囲長の値を、測定日ごとの値の推移を示すグラフと、を有し、
これらを１つのシート上にそれぞれ併記することにより、前記最外周囲長の値と筋肉周囲長の値との間の差分値の変化が可視化されることを特徴とする体成分分析結果シート。
【請求項７】
前記各身体部位の推移を表すグラフ上には、最外周囲長の標準値及び筋肉周囲長の標準値のうちどちらか一方以上が表示されていることを特徴とする請求項６記載の体成分分析結果シート。
【請求項８】
前記身体部位は、首部、胸部、腹部、尻部、腕部に分けられ、各身体部位を一枚のシート上にまとめてそれぞれ独立したグラフとして示すことにより、各身体部位における脂肪厚の推移が一括に表示されていることを特徴とする請求項６記載の体成分分析結果シート。
【手続補正２】
【補正対象書類名】明細書
【補正対象項目名】全文
【補正方法】変更
【補正の内容】
【考案の詳細な説明】
【技術分野】
【０００１】
本考案は、体成分分析結果シートに係り、詳しくは、生体電気インピーダンス測定器を用いて体成分分析結果を表示するにあたり、測定器の出力部から出力される体成分分析結果のうち、各身体部位の脂肪厚をはじめとする体成分の状態を人体模型を用いて可視化させ、体成分状態の推移をより一目瞭然に表示する体成分分析結果シートに関する。
【背景技術】
【０００２】
人体は水分、タンパク質、骨及び脂肪などからなり、これらを合計することで体重が得られる。人体成分分析とは、かかる個別成分を定量的に測定することを言う。近年、肥満に対する関心が高まるにつれて体脂肪量測定に対する必要性が増大され、その結果、体脂肪測定機の開発が盛んに行われてきている。体内脂肪量は、肥満を判断する主要指標であって、各種成人病の発生原因であり、美容とも深い関連がある。特に、水分は身体の重要な構成要素であって、水分の量はエネルギーを発生させる筋肉量と密接な関連がある。この体内の筋肉量は、個人の栄養状態を表わす指標であって、その医学的な応用範囲が広い。なによりも、癌患者や透析患者のように栄養状態と関連のある患者は自分の人体中の筋肉量を周期的に測定することにより、疾病の進行速度や治療效果を診断することができ、且つ小児の成長や発育状態、あるいは老弱者の栄養状態をも診断することができる。これらの理由から、体成分の構成要素を把握することは人体の最も基礎的な検診であって、その必要性が高まる一方である。
【０００３】
体成分を分析する方法としては、安価で且つ人体に無害な生体電気インピーダンスを用いる方法が汎用されている。この生体電気インピーダンスを用いる方法は、人体内に弱い交流電流を流して人体の電気抵抗あるいは電気インピーダンスを測定すると共に、被測定者の身長及び体重を測定または入力し、被測定者の年齢及び性別をキーボードを介して入
力した後、これらの測定値と入力された情報をもとに体液の量、筋肉量及び体脂肪量を算出する方法である。
【０００４】
本考案の考案者は、既に体成分分析装置を発明して提案している（例えば、下記の特許文献１〜３参照）。これらに開示されている体成分分析装置においては、右腕、左腕、胴体、右脚及び左脚の水分の定量化と、細胞内液、細胞外液、タンパク質、無機質、除脂肪の体成分の定量化とを通じた測定技術が、部位別インピーダンスの測定、身長及び体重の関数から開発されている。
【０００５】
前記体成分分析装置の出力部から出力される従来の体成分分析結果シートは、図４に示すように、体成分分析欄１０と、肥満診断欄２０と、体水分検査欄３０と、総合評価欄４０とに分けられている。
【０００６】
これらのうち、体成分分析欄１０では、縦の列を細胞内液、細胞外液、タンパク質、無機質、体脂肪に区切り、それぞれの成分を定量化して示している。また、肥満診断欄２０では、横の例を標準以下、標準、標準以上に区切り、縦の列を身長、体重、筋肉量、体脂肪量、体脂肪率、腹部脂肪率に区切り、これら各項目に対する標準範囲、標準以下、あるいは標準以上の該当有無を容易に判断できるようにしている。さらに、体水分検査欄３０では、縦の列を右腕、左腕、胴体、右脚、左脚などの部位別に区切り、横の列の部位別水分分布(％)を、前記肥満診断欄２０の場合と同様に標準、標準以下、標準以上に区切っている。
【０００７】
一方、総合評価欄４０は、体成分分析、肥満診断、体水分検査の欄１０，２０，３０をまとめて示すものであって、筋肉形態、栄養状態、上半身下半身バランス、左半身右半身バランスを標準、標準以下（あるいは、低体重）、標準以上の３段階に分けて評価し、被検者として自分の体成分の分析結果を総合的に把握させるようにしている。
【０００８】
測定結果を図表化する方法は、各部位別評価、あるいは測定項目の区分に必要となる方法である。しかし、このような従来の体成分分析装置の出力部は、主として体脂肪率に対する結果を出力するに留まっており、脂肪厚に対する数値や図示を出力していない。このため、専門家はもとより、非専門家が主流をなしている被検者は、自分の各身体部位における脂肪量について正確に理解していないのが現状である。
【０００９】
さらに、前記従来の体成分分析装置の出力部は、身体周囲長をはじめとして、筋肉周囲長や脂肪厚の測定結果、または脂肪厚の推移を別途に表示していないため、体脂肪の改善のための処方や健康ガイドからの運動指針を受けるとき、どの身体部位が改善されているか、あるいは、被検者自身の体脂肪がどれほどであるかを直観的に理解することは困難であった。
【特許文献１】大韓民国特許第１２３，４０８号公報
【特許文献２】大韓民国特許第１６１，６０２号公報
【特許文献３】大韓民国特許第３２３，８３８号公報
【考案の開示】
【考案が解決しようとする課題】
【００１０】
そこで、本考案の目的は、身体の各部位の最外周囲長と筋肉周囲長及び脂肪厚を人体模型を用いて表すことにより、被検者として部位別脂肪厚を容易に把握させることのできる体成分分析結果シートを提供することにある。
【００１１】
本考案の他の目的は、被検者の各身体部位の脂肪厚値を標準値と比較して表すことにより、被検者として自分の体成分値を一層容易に把握させることのできる体成分分析結果シ
ートを提供することにある。
【００１２】
本考案のさらに他の目的は、身体の各部位の最外周囲長と筋肉周囲長に対する変化推移を一括に表すことにより、被検者に脂肪厚の変化推移を容易に把握させることのできる体成分分析結果シートを提供することにある。
【００１３】
本考案のさらに他の目的は、各身体部位の脂肪厚の変化推移を一ヶ所にまとめて配置することにより、被検者に各身体部位別体成分の変化推移を容易に把握させることのできる体成分分析結果シートを提供することにある。
【課題を解決するための手段】
【００１４】
上記の諸目的を達成するための、本考案に係る体成分分析結果シートは、被検者の身体末端に接触する電流電極および電圧電極と、電流印加回路および電圧測定回路からなるインピーダンス測定回路と、演算及び制御機能を行う中央制御部と、を備える生体電気インピーダンス測定器を用いて身体の部位別体成分の測定結果を示す体成分分析結果シートであって、
右腕と左腕、右脚と左脚及び胴体を含めて図形化させた線で表示される人体模型１００と、
前記人体模型１００として図形化された線の中に、前記右腕と左腕、右脚と左脚及び胴体などでの体成分値を断面で示すように、環状の線で表示される体成分表示線２００と、
前記体成分表示線２００に相当する値を示す体成分値３００と、を１つのシート上に表示することを特徴とする。
【００１５】
さらに、本考案は、前記人体模型１００における各身体部位の周囲長は、測定された体成分値３００の大きさに比例して、前記人体模型１００内の右腕と左腕、右脚と左脚及び胴体などの部位に表示されることが好ましい。
さらに、前記体成分表示線２００は、最外周囲長と筋肉周囲長とが外側の線および内側の線として環状の線で前記人体模型１００の中に視覚化して表示され、
前記体成分値３００は、最外周囲長と筋肉周囲長及び脂肪厚の値により、シート上に表示されることが好ましい。
【００１６】
さらに、本考案は、前記人体模型１００の周りには、筋肉及び脂肪の分布断面図４００がさらに配置されていることが好ましい。
さらに、本考案は、前記最外周囲長と筋肉周囲長及び脂肪厚の測定値には、それらの標準値がさらに含まれて前記シート上に表示され、これにより、測定値と標準値が比較されることが好ましい。
【００１７】
本考案の他の体成分分析結果シートは、被検者の身体末端に接触する電流電極および電圧電極と、電流印加回路および電圧測定回路からなるインピーダンス測定回路と、演算及び制御機能を行う中央制御部とを備える生体電気インピーダンス測定器を用いて身体の部位別体成分の測定結果を示す体成分分析結果シートであって、
右腕と左腕、右脚と左脚及び胴体を含めて図形化させた線で表示される人体模型１００と、
前記身体部位の最外周囲長の値と筋肉周囲長の値を、測定日ごとの値の推移を示すグラフと、を有し、
これらを１つのシート上にそれぞれ併記することにより、前記最外周囲長の値と筋肉周囲長の値との間の差分値の変化が可視化されることを特徴とする。
【００１８】
さらに、本考案は、前記各身体部位の推移を表すグラフ上には、最外周囲長の標準値及び筋肉周囲長の標準値のうちどちらか一方以上が表示されていることが好ましい。
さらに、本考案は、前記身体部位は、首部、胸部、腹部、尻部、腕部に分けられ、各身体部位を一枚のシート上にまとめてそれぞれ独立したグラフとして示すことにより、各身体部位における脂肪厚の推移が一括に表示されていることが好ましい。
【考案の効果】
【００１９】
本考案に係る体成分分析結果シートは、身体の各部位の最外周囲長と筋肉周囲長及び脂肪厚を人体模型を用いて表すことにより、被検者として部位別脂肪厚を容易に把握させることができる。
【００２０】
また、本考案に係る体成分分析結果シートは、被検者の各身体部位の脂肪厚値を標準値と比較して表すことにより、被検者として自分の体成分値を一層容易に把握させることができる。
【００２１】
さらに、本考案に係る体成分分析結果シートは、各身体部位の脂肪厚の変化推移を一枚のシート上にまとめてそれぞれ独立したグラフとして示すことにより、被検者として各身体部位別体成分の変化推移を容易に把握させることができる。その結果、被検者は、体成分の改善のために処方を受けたり、規則的な運動をしたりするとき、どの部位における体成分が改善されているかが容易に確かめられる。
【考案を実施するための最良の形態】
【００２２】
以下、添付図面に基づき、本考案の好適な実施例を詳述する。
本考案に係る体成分分析結果シートは、インピーダンス測定方法を用いて体成分を分析する装置に基づいて開発されたものである。現在汎用されている方式は、前述したように、部位別体成分を測定する部位別インピーダンスを用いた体成分分析装置である。
【００２３】
この部位別インピーダンスを測定する技術では、両手と両足にそれぞれ２つずつの電極を設け、合計で８個の電極を通じて人体末端間のインピーダンスを測定して体成分を算出する。このとき、各部位別インピーダンスは直接的に測定される。すなわち、既知の大きさの電流を流し、所望の部位における電圧を測定することにより、オームの法則に基づいてインピーダンスを求める。
【００２４】
体脂肪量と、体重から体脂肪を引いた除脂肪量との合計は体重となる。このため、体重を測定し、且つ、生体電気インピーダンスを用いて除脂肪量を測定した後、これらの両値の差分を求めると、これより体脂肪量を算出することができる。一方、部位別測定は、被検者の部位別筋肉発達の度合いが判断可能な情報を与えるため、部位別運動効果や左半身右半身のバランス、上半身及び下半身の発達程度、リハビリ治療の効果などを確かめる上で極めて有用である。部位別除脂肪量は、身長と部位別インピーダンス及び部位別身体の長さから計算される。しかしながら、実際に、各部位の身体の長さは測定し難いため、これを身長の測定値に置換しても正確度の側面からみたときに大差ない。すなわち、人間は、ほとんどの場合、身長に対して所定比率の腕長、脚長、胴体長を有しており、一般に、市販されている体成分分析器はこのような想定から製造されている。図１は、各身体部位に対する筋肉と脂肪の人体模型である。これを参照すれば、内部には筋肉が位置し、脂肪は筋肉を包むようになっている。ここで、筋肉周囲長とは円形を呈する筋肉の周りの長さを意味し、最外周囲長とは身体部位の周り（輪郭）の長さを意味する。また、体脂肪量も首部、胸部、腹部、及び尻部に分けて表すことが可能である。すなわち、まず、胴体における体脂肪量を求め、さらに各部位における体脂肪量は被検者の年齢と性別を考慮し、回帰式に基づいて得ることができる。
【００２５】
部位別体脂肪量及び除脂肪量から、筋肉周囲長の値と最外周囲長の値を求め、脂肪厚を算出する。一方、インピーダンス測定を用いた体脂肪分析装置の出力部は図１に示すよう
な結果シートを出力するが、その詳細は下記の通りである。
【００２６】
人体模型１００を視覚的に目立たせるために、立体的に表す。さらに、前記人体模型の身体部位は、右腕、左腕、右脚、左脚よりなる腕脚部と胴体に分けられる。前記人体模型１００の線は、外側と内側に分けられる。このうち、外側の線は脂肪厚を含む最外周囲長を立体的に目立たせて視覚化させ、内側の線は脂肪を除く筋肉周囲長を目立たせて視覚化させることが好ましい。
【００２７】
さらに、人体模型の各身体部位の所定の位置には、測定された体成分値を表すための体成分表示線２００が示してある。本考案の一実施例によれば、前記体成分表示線２００は、最外周囲長（Ａ，Ｂ，Ｃ，Ｄ，Ｅ，Ｆ，Ｇ，Ｈ）は実線にて立体的に示され、筋肉周囲長（ Ｂ’，Ｃ’，Ｅ’，Ｆ’，Ｇ’，Ｈ’）は破線にて示されている。最外周囲長の値
と筋肉周囲長の値との間の差分は脂肪厚となる。すなわち、身体部位の模型において脂肪が筋肉を包んでいるとして想定する。
【００２８】
本考案の体成分表示線には制限がなく、各種のタイプの体成分表示線が想定可能である。例えば、単に脂肪厚及び最外周囲長のみを示すことも可能であり、実線及び破線の代わりに脂肪部位を陰影表示することも可能である。
【００２９】
さらに、本考案によれば、身体部位の断面図４００を添えることが好ましい。前記断面図４００は、通常の断層撮影の標準タイプを示すものであって、脂肪が筋肉の外郭に分布されている。このような断面図を添えることにより、被検者として各身体部位の周囲長を容易に把握させる。
【００３０】
さらに、人体模型１００の右側には、各身体部位における体成分値３００の表が示されている。さらに、各測定値の下部には標準値及び差分値が併記されている。ここで、標準値とは、被検者の年齢と性別による各身体部位における正常範囲の最外周囲長の値と筋肉周囲長の値であり、差分値とは、被検者の測定値と標準値との間の差分である。腹部の場合、被検者の最外周囲長の値は８５．６９ｃｍであり、筋肉周囲長の値は７８．４０ｃｍであり、そして脂肪厚は１．０５ｃｍである。前記被検者の年齢、性別及び体格からみたとき、正常人の標準値は最外周囲長の値が８３．３３ｃｍであり、筋肉周囲長の値が８２．５７ｃｍであることから、現在、被検者は、標準値よりも最外周囲長が２．３６ｃｍほど太く、筋肉周囲長が４．１７ｃｍほど不足している。この結果から、被検者は、どれほどの筋肉を増やしてどれほどの脂肪を減らす必要があるかを容易に把握することができる。
【００３１】
さらに、図２は、人体模型上に各身体部位別体成分値を直接的に示すものである。すなわち、図１のように測定値を別途の表として示してもよく、図２のように人体模型上に直接的に示しても良い。
【００３２】
さらに、本考案の他の実施例として、測定される周囲長に応じて各身体部位の太さが変わる人体模型を示すことにより、被検者として自分の身体部位の状態を視覚的に容易に把握させることも可能である。
【００３３】
図３は、本考案のさらに他の実施例に係る体成分分析結果シートであり、人体模型１００の側方などに併記される。以下、腹部における身体周囲長の変化１３０を例として説明を進める。
これを参照すれば、２００５年１月２５日、２００５年２月１６日及び２００５年３月１５日の３回に亘って体成分が測定されている。各測定日における腹部１３０の最外周囲
長は、それぞれ８３．６９ｃｍ、８２．６９ｃｍ及び８２ｃｍへと変わっている。このグラフ中、実線は最外周囲長を示し、破線は筋肉周囲長を示す。一方、筋肉周囲長の値は７５．４０ｃｍ、７５．４５ｃｍ及び７５．６０ｃｍと僅かな変化を示している。すなわち、全体としての最外周囲長の値が段々に小さくなっているが、これは、筋肉量が減ったためではなく、脂肪量が減るにつれて最外周囲長の値が変わったからであるということが分かる。ここで、脂肪量の変化を容易に確認させるために、最外周囲長の値と筋肉周囲長の値との間の差分に相当する部分Ｆｓは別途に陰影処理されている。
【００３４】
さらに、前記身体周囲長を示すグラフ上には、被検者の性別、年齢及び身長分布を考慮するときの正常人の身体周囲長に相当する最外周囲長の標準値Ｓｏと筋肉周囲長の標準値Ｓｉを併記することが可能である。グラフから、この被検者は、腹部における筋肉周囲長の値が標準値よりも小さく、最外周囲長の値は標準値よりも大きいということが分かる。すなわち、腹部の脂肪量が標準量に比べて多いということが分かる。一方、右腕及び左腕における身体周囲長の値のグラフ１５０，１６０を参照すれば、脂肪厚の変化はほとんどなく、最外周囲長の値と筋肉周囲長の値が両方ともに小さくなっているということが分かる。さらに、右脚と左脚における身体周囲長の値のグラフ１７０，１８０を参照すれば、最外周囲長の値はほとんど変化がなく、筋肉周囲長の値が大きくなって全体としての脂肪厚が薄くなっているということが分かった。
【００３５】
さらに、本考案によれば、図３に示すように、各身体部位における周囲長の変化を一ヶ所にまとめて表すことにより、各身体部位における体成分の変化を一目で確認させることが好ましい。例えば、身体部位のうち右腕１５０、左腕１６０、右脚１７０と左脚１８０よりなる腕脚部における体成分の変化と、首部１１０、胸部１２０、腹部１３０及び尻部１４０よりなる胴体部分における体成分の変化を人体模型１００とともに一括に観測可能にすることが好ましい。
【図面の簡単な説明】
【００３６】
【図１】本考案の一実施例に係る体成分分析結果シートである。
【図２】本考案の他の実施例に係る体成分分析結果シートである。
【図３】本考案のさらに他の実施例に係る体成分分析結果シートの一部を示したものである。
【図４】従来公知の体成分分析結果シートである。
【符号の説明】
【００３７】
１００    人体模型
１１０    首部の周囲長の変化
１２０    胸部の周囲長の変化
１３０    腹部の周囲長の変化
１４０    尻部の周囲長の変化
１５０    右腕の周囲長の変化
１６０    左腕の周囲長の変化
１７０    右脚の周囲長の変化
１８０    左脚の周囲長の変化
２００    体成分表示線
３００    体成分値
４００    断面図
Ａ，Ｂ，Ｃ，Ｄ，Ｅ，Ｆ，Ｇ，Ｈ    身体部位の最外周囲長
Ｂ’，Ｃ’，Ｅ’，Ｆ’，Ｇ’，Ｈ’    身体部位の筋肉周囲長
【手続補正３】
【補正対象書類名】図面
【補正対象項目名】全図
【補正方法】変更
【補正の内容】
【図１】
0003120546.tif 000007
【図２】
0003120546.tif 000008
【図３】
0003120546.tif 000009
【図４】
0003120546.tif 000010